(57)【要約】  【課題】  サーチ画像を生成するために、色信号の下位ビットを切り捨てる時に、色が付かなくなることを防止する。  【解決手段】  サーチ画像は、ＤＣ分のみを使用して構成されるので、Ｉピクチャデコーダ７１は、Ｉピクチャの各マクロブロックの輝度信号成分および色差信号成分からＤＣ分を取り出す。Ｉピクチャデコーダ７１からの画像データ中の色信号が色信号レベル補正部７２に供給され、補正後の色信号がサーチデータ生成部７３に供給される。サーチデータ生成部７３は、規格に定められた方法で、サーチ画像データを生成する。色信号レベル補正部７２は、色差データのビット長を削減する時に、もともとレベルが低い画素のデータが０データとなり、サーチ画像では、色が付かなくなる問題を改善するために、１フレーム内の一部または全部の色信号について信号レベルを増加方向に補正する。【選択図】  図７
2005260786.tif 000002
【特許請求の範囲】
【請求項１】
画像データを圧縮符号化して記録媒体に記録する情報信号記録装置において、
圧縮符号化された画像データ中のイントラ符号化データの輝度信号成分および色信号成分のビット長を削減することによって、サーチ画像データを生成するサーチ画像生成手段と、
上記サーチ画像生成手段で処理される色信号成分に対してレベルを増加させる方向で補正を行う色信号補正手段と、
上記サーチ画像生成手段で生成されたサーチ画像データを分散して記録媒体上に記録する記録手段とを備えた情報信号記録装置。
【請求項２】
請求項１において、
上記色信号補正手段は、
しきい値より小さいレベルを有する色信号のみを上記しきい値の値にすげ替える処理を行う情報信号記録装置。
【請求項３】
請求項１において、
上記色信号補正手段は、
色信号のレベルが第１の値より小で、且つ第２の値より大きなデータのみを上記第１の値にすげ替える処理を行う情報信号記録装置。
【請求項４】
請求項１において、
上記色信号補正手段は、
全ての色信号データに対してある一定値を加算することによって色信号レベルを増加させる処理を行う情報信号記録装置。
【請求項５】
請求項１において、
上記色信号補正手段は、
しきい値より小さいレベルのデータに対してのみ、ある一定の値を加算することによって色信号レベルを増加させる処理を行う情報信号記録装置。
【請求項６】
請求項１において、
上記色信号補正手段は、
所定の範囲における色信号の最低レベルを検出し、検出した最低レベルがしきい値より小さい場合にのみ、上記しきい値と上記最低レベルとの差を、上記所定の範囲の全ての色信号に対して加算することによって色信号レベルを増加させる処理を行う情報信号記録装置。
【請求項７】
請求項１において、
上記色信号補正手段は、
所定の範囲における色信号の平均レベルを検出し、検出した平均レベルがしきい値より小さい場合にのみ、上記所定の範囲の全ての色信号データに対して所定値を加算することによって色信号レベルを増加させる処理を行う情報信号記録装置。
【請求項８】
請求項１において、
上記色信号補正手段により増加量を示す情報を記録する情報信号記録装置。
【請求項９】
請求項１において、
上記色信号補正手段により上げられた増加量を示す情報と上記色信号補正手段の補正方法を示す情報とを記録する情報信号記録装置。
【請求項１０】
圧縮符号化された画像データと、圧縮符号化された画像データ中のイントラ符号化データの輝度信号成分および色信号成分のビット長を削減することによってサーチ画像データが生成され、上記サーチ画像の生成のために使用される色信号成分に対してレベルを増加させる方向の補正がなされ、生成されたサーチ画像データと、上記色信号補正手段により増加された増加量を示すサーチデータ情報とが分散して記録された記録媒体を再生する情報信号再生装置において、
通常再生時に上記記録媒体から上記圧縮符号化された画像データを再生し、サーチ再生時に上記記録媒体から上記サーチデータ情報および上記サーチ画像データを再生する再生手段と、
再生された上記圧縮符号化された画像データから再生画像を復号する伸長復号手段と、
再生された上記サーチデータ情報を使用して上記サーチ画像データからサーチ画像を復号するサーチ画像復号手段と
を備えた情報信号再生装置。
【発明の詳細な説明】
【技術分野】
【０００１】
この発明は、情報信号記録装置および情報信号再生装置に関する。
【背景技術】
【０００２】
ディジタルビデオ信号を記録および再生するためのＤＶ(Digital Video)フォーマット
の記録再生装置例えばカムコーダ（comcoder(camera and recorder)を略した一般的に名
称、ビデオカメラ＋レコーダ）が広く使用されている。さらに、ＤＶフォーマットのカムコーダと同一のテープ・回転ヘッド部を使用して、ＭＰＥＧ２(Moving Picture Experts
Group Phase 2)のＭＰ＠Ｈ−１４で圧縮されたＨＤ(High Definition)データ（ＰＥＳ(Packetized Elementary Stream)）を記録・再生する装置が下記の特許文献１に記載されて
いる。この特許文献１に記載の内容は、ＨＤＶ２規格と呼ばれる。
【０００３】
【特許文献１】特開２００２−３１４９４１号公報
【０００４】
特許文献１には、Ｉピクチャからサーチ画像データを形成し、サーチ用データとして使用するイントラフレームの間隔を一定とすること、高倍速用のサーチ画像のデータ量を減少することが記載されている。ＭＰＥＧ２では、符号化の方法の違いに応じてＩピクチャ、ＰピクチャおよびＢピクチャが存在する。
【０００５】
Ｉピクチャ(Intra-coded picture：イントラ符号化画像) は、符号化されるときその画像１枚の中だけで閉じた情報を使用するものである。従って、復号時には、Ｉピクチャ自身の情報のみで復号できる。サーチ時には、回転ヘッドの軌跡とテープ上に形成されているトラックとが一致せず、断片的にしかデータを再生できないので、Ｉピクチャからサーチ画像を生成することが必要である。
【０００６】
Ｐピクチャ(Predictive-coded picture ：順方向予測符号化画像）は、予測画像（差分をとる基準となる画像）として、時間的に前の既に復号されたＩピクチャまたはＰピクチャを使用するものである。動き補償された予測画像との差を符号化するか、差分を取らずに符号化するか、効率の良い方をマクロブロック単位で選択する。
【０００７】
Ｂピクチャ(Bidirectionally predictive-coded picture ：両方向予測符号化画像）は、予測画像（差分をとる基準となる画像）として、時間的に前の既に復号されたＩピクチャまたはＰピクチャ、時間的に後ろの既に復号されたＩピクチャまたはＰピクチャ、並びにこの両方から作られた補間画像の３種類を使用する。この３種類のそれぞれの動き補償後の差分の符号化と、イントラ符号化の中で、最も効率の良いものをマクロブロック単位で選択する。
【０００８】
従って、マクロブロックタイプとしては、フレーム内符号化(Intra) マクロブロックと、過去から未来を予測する順方向(Forward) フレーム間予測マクロブロックと、未来から過去を予測する逆方向(Backward)フレーム間予測マクロブロックと、前後両方向から予測する両方向マクロブロックとがある。Ｉピクチャ内の全てのマクロブロックは、フレーム内符号化マクロブロックである。また、Ｐピクチャ内には、フレーム内符号化マクロブロックと順方向フレーム間予測マクロブロックとが含まれる。Ｂピクチャ内には、上述した４種類の全てのタイプのマクロブロックが含まれる。
【０００９】
サーチ画像のデータ量を減少させるために、特許文献１では、輝度信号および色差信号のＤＣＴ(Discrete Cosine Transform)ブロックから直流成分を抽出し、抽出した直流成
分のビット数を元の８ビットより少ない６ビット（輝度信号の直流分）および５ビット（色差信号の直流分）に削減している。
【発明の開示】
【発明が解決しようとする課題】
【００１０】
色差信号の場合、ビット長の間引き量が８ビットから５ビットと大きいために、小さい色差データでは、０に丸められる可能性が大きい。例えばビデオカメラで撮影する画像データでは、色信号レベルが小さい部分が多くあり、絵柄によっては、画面の殆どの部分の色データが０に丸められ、色が付かないサーチ画像が形成される問題があった。サーチ画像は、大まかな内容が分かる程度の画像であれば良いが、色が付かない画像が表示されると、違和感が生じたり、故障と勘違いするおそれがあった。
【００１１】
したがって、この発明の目的は、サーチ画像のデータ量を圧縮するために、色データのビット数を間引いた時に、サーチ画像に色が付かなくなることを防止することができる情報信号記録装置および情報信号再生装置を提供することにある。
【課題を解決するための手段】
【００１２】
上述した課題を解決するために、この発明は、画像データを圧縮符号化して記録媒体に記録する情報信号記録装置において、
圧縮符号化された画像データ中のイントラ符号化データの輝度信号成分および色信号成分のビット長を削減することによって、サーチ画像データを生成するサーチ画像生成手段と、
サーチ画像生成手段で処理される色信号成分に対してレベルを増加させる方向で補正を行う色信号補正手段と、
サーチ画像生成手段で生成されたサーチ画像データを分散して記録媒体上に記録する記録手段とを備えた情報信号記録装置である。
【００１３】
この発明は、圧縮符号化された画像データと、圧縮符号化された画像データ中のイントラ符号化データの輝度信号成分および色信号成分のビット長を削減することによってサーチ画像データが生成され、サーチ画像の生成のために使用される色信号成分に対してレベルを増加させる方向の補正がなされ、生成されたサーチ画像データと、色信号補正手段により増加された増加量を示すサーチデータ情報とが分散して記録された記録媒体を再生する情報信号再生装置において、
通常再生時に記録媒体から圧縮符号化された画像データを再生し、サーチ再生時に記録媒体からサーチデータ情報およびサーチ画像データを再生する再生手段と、
再生された圧縮符号化された画像データから再生画像を復号する伸長復号手段と、
再生されたサーチデータ情報を使用してサーチ画像データからサーチ画像を復号するサーチ画像復号手段と
を備えた情報信号再生装置である。
【発明の効果】
【００１４】
この発明では、サーチデータを生成する前に色データを処理することによってサーチ画像に色が付かなくなる問題を改善することができる。
【発明を実施するための最良の形態】
【００１５】
以下、この発明の一実施形態について図面を参照しながら説明する。図１は、この発明を適用できるディジタルＶＴＲの主としてビデオ信号の処理に関連する構成の概略を示す。入力画像信号がＡ／Ｄコンバータ１によってディジタルビデオ信号に変換され、圧縮部２に供給される。圧縮部２においてＭＰＥＧ２のＭＰ＠Ｈ−１４でにより圧縮されたビデオデータ（ＰＥＳ）がデータ多重化部３に入力される。
【００１６】
データ多重化部３では、圧縮されたビデオデータ、圧縮されたオーディオデータ、システムデータ、サーチ画像データ等が多重化される。データ多重化部３の出力データが誤り訂正符号のエンコーダ４においてエラー訂正符号化され、記録アンプ５を介して回転ヘッド６に供給される。例えば１８０°で対向して回転ドラム上に一対の回転ヘッドが配置され、回転ドラムの周面に斜めに巻き付けられたテープ上に斜めに傾斜したトラックが順次形成される。
【００１７】
圧縮部２で圧縮されたビデオデータがサーチ画像生成部７に供給され、サーチ画像データが生成される。このサーチ画像データがデータ多重化部３に供給され、記録データ中に多重化される。
【００１８】
回転ヘッド６によってテープから再生された再生データが再生アンプ１１を介して誤り訂正デコーダ１２に入力される。誤り訂正デコーダ１２において、誤り訂正がなされ、また、同期信号、ＩＤ等が検出される。誤り訂正デコーダ１２から出力された再生データがデータ分離部１３に供給される。
【００１９】
データ分離部１３では、圧縮ビデオデータ、圧縮オーディオデータ、再生サーチ画像データ、システムデータ等を分離する。データ分離部１３からの圧縮ビデオデータが伸長部１４に供給され、圧縮が解凍され、ベースバンドの再生ビデオデータが得られる。再生ビデオデータがスイッチＳＷの一方の端子ａに供給される。通常再生時では、スイッチＳＷを介してＤ／Ａコンバータ１５に再生ビデオデータが供給され、アナログの出力ビデオ信号が得られる。
【００２０】
再生されたサーチ画像データは、誤り訂正デコーダ１２を経てサーチ画像復号部１６に供給される。サーチ画像復号部１６に対して、データ分離部１３からサーチデータ情報が供給される。サーチ画像復号部１６によって復号された再生サーチ画像データがスイッチＳＷの端子ｂに供給される。サーチ時には、スイッチＳＷの端子ｂを介してＤ／Ａコンバータ１５でアナログビデオ信号とされたサーチ画像信号が出力ビデオ信号として得られる。
【００２１】
図２は、圧縮部２におけるビデオデータの圧縮処理を示すものである。１５フレームで構成されるＧＯＰ(Group Of Picture)（ＧＯＰ１，ＧＯＰ２，・・・）を単位として、各フレームを圧縮する。
【００２２】
図３は、（１０８０ｉ／６０）テレビジョンシステムにおけるサーチ画像データのベースデータの時間軸構造を説明するものである。サーチ画像データは、ベースデータとヘルパーデータとからなる。１フレームが例えば６８ＭＢ(Macro Block)×９０ＭＢに分割さ
れる。各マクロブロックは、４個の輝度信号成分のＤＣＴブロックと、２個の色差信号成分のＤＣＴブロックからなる。ＤＣＴブロックは、（８画素×８画素）のサイズである。これらの６個のＤＣＴブロックは、空間的に互いに同一の位置をしめる。
【００２３】
サーチ画像生成部７では、同一マクロブロックの４個の輝度信号のＤＣＴブロックから得られた係数データの内のＤＣ（直流）成分で、６ビットのＹ０，Ｙ１，Ｙ２，Ｙ３の中で、例えばＹ０のＤＣ成分を選択する。８ビットの下位２ビットを切り捨てることで６ビットのＤＣ成分を生成する。同一マクロブロックの色差信号のＤＣＴブロックから得られた係数データの内のＤＣ（直流）成分で、８ビットの下位３ビットを切り捨てることで５ビットに変換されたＤＣ成分を生成する（Ｃｂ，Ｃｒ）。
【００２４】
このようにして、１ＧＯＰ内に含まれるＩピクチャの画像データを処理することによって、各ＧＯＰに対応するサーチ画像データを生成することができる。色差信号のビット長のの切り捨て（丸め）処理において、８ビットの下位側の３ビットを切り捨てるので、もともと色が薄い画像が色を消失する問題を生じる。したがって、後述するような処理を行うことによって、色が付かなくなる問題を改善している。
【００２５】
サーチ動作は、記録時に比してテープ送り速度を高速とするので、回転ヘッドが複数のトラックを跨がって断片的にデータを再生する。したがって、生成されたサーチ画像データは、テープ上において、所定の倍速比のサーチ時には、必ず再生される位置に記録されることが望ましい。
【００２６】
図４Ａは、例えば倍速比が８の場合のサーチ動作を示すものであり、縦のストライプがテープ上に生成されているトラックを示し、斜めの矢印がサーチ時の回転ヘッドの走査軌跡を示す。サーチ時には、一対の回転ヘッドの例えば一方の回転ヘッドのみが使用される。８倍速比であれば、８本のトラックに跨がって回転ヘッドがテープをトレースし、１６トラック周期で回転ヘッドがテープをトレースする。なお、倍速比は、８倍速に限らず、２４倍速等の他の値を使用でき、また、複数の倍速比の一つをユーザが設定可能としても良い。
【００２７】
１６トラックで１ＥＣＣ(Error-Correcting Code)ユニットが構成されている。１ＥＣ
Ｃユニット毎にエラー訂正が実行される。図４Ａのトラックパターンにおいて、No.０−
No.８は、それぞれ１ＥＣＣユニットを示している。８倍速時では、１６トラック周期で
回転ヘッドがテープをトレースするので、トレースの位相を制御することで、各ＥＣＣユニットにおける所定の軌跡を回転ヘッドが描くことになる。この軌跡上にサーチ画像データを記録しておくことで、サーチ画像データを確実に再生できる。
【００２８】
サーチ画像データが記録される部分には、メインの画像データを記録することができないので、サーチ画像データは、少ないデータ量であり、再生時に周辺の画像データを使用して、サーチ画像データによって記録できなかった画像を補間するようになされる。他の方法として、テープの記録フォーマット上で、サーチ画像データを記録するための余分な記録エリアを形成しておき、そこにサーチ画像データを記録するものが可能である。
【００２９】
図４Ｂは、上述したサーチ画像データのベースデータの処理を示す。ベースデータは、１マクロブロックの輝度信号のＤＣＴブロックの内のＤＣ分Ｙ０（６ビット）と、色差信号のＤＣ分Ｃｂ（５ビット）およびＣｒ（５ビット）との合計１６ビットからなる。記録データは、シンクブロック（以下、ＳＢと適宜略す）を単位として記録される。
【００３０】
１個のＳＢに入るベースデータのＭＢ数は、（７２０／１６＝４５）となる。１ＥＣＣユニット当たりで、サーチ時に３４個のＳＢを取得することが可能である。ベースデータは、連続する４個のＥＣＣユニットのそれぞれの所定の位置に記録される。したがって、４回のスキャンでは、４５ＭＢ×３４ＳＢ×４＝６１２０ＭＢのベースデータを取得可能である。
【００３１】
図４Ｃは、サーチ画像データのヘルパーデータを説明するものである。ベースデータとして使用されたＤＣＴブロック以外の残りの３個のＤＣＴブロックからＤＣ分で、６ビットのデータＹ１，Ｙ２，Ｙ３（合計１８ビット）がヘルパーデータである。１個のＳＢに入るヘルパーデータのＭＢ数は、（７２０／１８＝４０）となる。１ＥＣＣユニット当たりで、サーチ時に３４個のＳＢを取得することが可能である。ベースデータは、連続する５個のＥＣＣユニットのそれぞれの所定の位置に記録される。したがって、５回のスキャンでは、４５ＭＢ×３４ＳＢ×５＝６８００ＭＢのヘルパーデータを取得可能である。
【００３２】
再生側のサーチ画像復号部１６は、ベースデータとヘルパーデータの両者を使用してサーチ画像データを復元する。但し、ヘルパーデータが欠落しても、ベースデータを再生できれば、解像度が低いサーチ画像を提示することができる。
【００３３】
図５は、サーチ画像データが挿入されるサーチシンクブロックのデータ構成の一例を示す。図５では、シンクブロックの先頭に付加される２バイトの同期信号およびその後の３バイトのＩＤ、並びにシンクブロックの後ろ側の１０バイトの誤り訂正符号の内符号パリティについては、図示が省略されている。１ＳＢ（シンクブロック）は、１１１バイトの長さとされ、図示が省略されたデータの１５バイト以外の残りの９６バイトが図５に示されている。
【００３４】
９５バイトの先頭に１バイト（８ビット）のＳＢヘッダが配置される。ＳＢヘッダは、ＳＢ内のデータの内容を示すデータである。ＳＢヘッダの後に４０ビットのサーチＳＢヘッダが配置される。その後に、７２０ビットの長さのサーチ画像データが配置される。通常の画像データを記録するためのＳＢでは、サーチＳＢヘッダが存在せず、７６０ビットの長さのメインデータを１ＳＢに記録することができる。
【００３５】
サーチ画像データとして、上述したように、ベースデータとヘルパーデータとがある。ベースデータの場合では、４５ＭＢ（マクロブロック）のデータを１ＳＢ内に配置できる。図５において、ＭＢ０−ＭＢ４４がベースデータのマクロブロックを示す。各マクロブロックには、輝度信号成分のＤＣ成分Ｙ０（６ビット）と、色差信号のＤＣ分Ｃｂ（５ビット），Ｃｒ（５ビット）とが含まれる。ヘルパーデータの場合では、１ＳＢにＭＢ０−ＭＢ３９の４０ＭＢを配置できる。各マクロブロックには、Ｙ０以外のＤＣＴブロックから抽出された輝度信号成分のＤＣ成分Ｙ１，Ｙ２，Ｙ３（各６ビット）が含まれる。
【００３６】
サーチＳＢヘッダには、サーチ画像データの１枚の画像中のそのＳＢのデータの位置を示すアドレス（水平ｘおよび垂直ｙに関して）、パケットヘッダ、パケットデータ等が配置されている。パケットヘッダ（５ビット）は、パケットデータ（１６ビット）の内容を示す情報である。
【００３７】
図６は、パケットヘッダの（０−３１）のそれぞれの値に対応するパケットデータの内容を示している。例えばパケットヘッダの５ビットがすべて０で、Ｌ／ＨがＬの場合では、パケットデータは、サーチヘッダである。パケットヘッダの値が１で、Ｌ／ＨがＨの場合では、パケットデータは、サーチヘッダである。その他にサブコードの内容がパケットデータとして記録される。パケットヘッダの値が１６〜３１に関しては、パケットデータの内容は、現時点の規格では、リザーブド（未定義）である。図５中のＲｓｖの表記も未定義を意味している。
【００３８】
後述するように、この発明の一実施形態では、サーチ画像データ（メインデータ）の色差信号に対して補正処理を行っているので、その処理の内容を再生処理側に伝えたい場合では、未定義のパケットデータを利用するようになされる。
【００３９】
図７は、サーチ画像生成部７の構成例を示す。Ｉピクチャデコーダ７１では、圧縮部２からの圧縮データ中で、例えばＧＯＰ毎に選択された１枚のＩピクチャを抽出し、抽出されたＩピクチャを復号し、１枚の画像を生成する。但し、上述したように、サーチ画像は、ＤＣ分のみを使用して構成されるので、Ｉピクチャデコーダ７１は、Ｉピクチャの各マクロブロックの輝度信号成分および色差信号成分からＤＣ分を取り出す処理を行う構成とされる。但し、Ｉピクチャデコーダ７１によってベースバンド画像を復号し、色信号補正を行った後に、再度、符号化を行うようにしても良い。
【００４０】
Ｉピクチャデコーダ７１からの画像データ中の色信号が色信号レベル補正部７２に供給される。色信号レベル補正部７２は、復号画像中の二つの色差データに対して補正を行い、補正後の色差データをサーチデータ生成部７３に供給する。サーチデータ生成部７３は、上述したような規格に定められた方法で、サーチ画像データのベースデータおよびヘルパーデータを生成する。
【００４１】
色信号レベル補正部７２は、色差データのビット長を削減する時に、もともとレベルが低い画素のデータが０データとなり、サーチ画像では、色が付かなくなる問題を改善するためのものである。すなわち、１フレーム内の一部または全部の色信号について信号レベルを増加方向に補正するものである。
【００４２】
色信号を単純に下位３ビットを切り捨てて５ビットのデータに変換することは、図８に模式的に示すように、レベルの絶対値がｂ１０００に相当する値（点線で示す）より小さい部分（網かけ部分）が０に丸められて捨てられることを意味する。元のレベルがｂ１０００以上のデータであれば、色が失われないが、そうでないと、色信号が０に丸められ、色が付かなくなる。なお、実際の色信号データは、２の補数であり、符号を持つ。しかしながら、説明の簡略化のために以下の説明において、データの値並びにレベルを増加させるための処理は、ＭＳＢ（符号ビット）を除く絶対値（７ビット）で表現したデータを想定している。
【００４３】
図９は、色信号レベル補正部７２の構成例を示す。参照符号２１は、Ｉピクチャデコーダ７１からの色信号（上述したように、各マクロブロックに含まれる色差信号のＤＣＴブロックから分離されたＤＣ分）のレベルを検出するレベル検出部である。図９に示す構成は、二つの色差信号に対してそれぞれ設けられている。但し、二つの色差信号で共通構成として時分割で処理することも可能である。
【００４４】
レベル検出部２１は、色信号のレベルを検出し、検出したレベルを比較器２２および積算回路２３に供給する。また、入力色信号が一時記憶部２５に一時的に記憶される。一次記憶部２５の出力にレベル増加回路２６が設けられ、レベル増加回路２６でレベルが増加された色信号出力が得られる。レベル増加回路２６のレベル増加量は、比較器２２および２４からの比較情報によって制御される。レベル増加回路２６の出力データが上述したように、サーチデータを生成するサーチデータ生成器７３に供給される。サーチデータ生成器７３において、下位３ビットの切り捨て処理によって、８ビットから５ビットへ変換される。
【００４５】
比較器２２に対して上限値Ａおよび下限値Ｂが入力される。比較器２４に対して一定値が供給され、比較器２４において、積算回路２３の出力と一定値が比較される。色信号レベル補正部７２は、以下に説明するいくつかの方式の何れかによって色信号レベルが増加方向に補正される。
【００４６】
第１の補正方法は、しきい値ｂ１０００より小さいデータのみをｂ１０００に置き換えるものである。比較器２２に対して入力される上限値Ａがｂ１０００である。比較器２２において、検出されたレベルＸがｂ１０００より小である（Ｘ＜Ａ（＝ｂ１０００））と検出されると、その比較情報によってレベル増加回路２６が（Ｘ＜Ａ）の関係にある色信号のレベルをｂ１０００にすげ替える。このレベル増加処理によって、１が残り、０レベルとされることを防止できる。第１の補正方法では、下限値Ｂ、積算回路２３、比較器２４、一時記憶部２５を使用しない。
【００４７】
第２の補正方法は、検出したレベルがしきい値Ａ（＝ｂ１０００）より小さく、且つあるしきい値Ｂより大きな値のデータのみをｂ１０００にすげ替える方法である。比較器２２において、上限値Ａのみならず、下限値Ｂとも検出したレベルＸを比較する。その比較情報によってレベル増加回路２６が（Ｂ＜Ｘ＜Ａ）の関係にある色信号のレベルをｂ１０００にすげ替える。好ましくは、上限値Ａについては、ｂ１０００に固定し、下限値Ｂについては、値を固定せずに例えばＥＥＰＲＯＭ等で設定できるようになされる。このようにすれば、絵柄を評価した結果等に基づいて、下限値Ｂを適切な値に設定できる。第２の補正方法では、積算回路２３、比較器２４、一時記憶部２５を使用しない。
【００４８】
第３の補正方法は、全ての色信号データに対してある一定値例えばｂ１１１を加算することによって色信号レベルを上げる方法である。第３の補正方法では、入力された色信号は、レベル検出部２１、一時記憶部２５の処理を経ることなく、レベル増加回路２６において、一律にレベルが上げられる。比較器２２および２４の処理も不要である。ｂ１１１は、値の一例であり、この値に限定されない。
【００４９】
第４の補正方法は、しきい値例えばｂ１０００より小さいレベルのデータに対してのみ、ある一定の値例えばｂ１１１を加算する方法である。レベル検出部２１で検出されたレベルＸが比較器２２において上限値Ａ例えばｂ１０００と比較される。レベル増加回路２６では、（Ｘ＜Ａ）の関係にあるデータについてのみ一定の値を加算する処理がなされる。ｂ１１１は、値の一例であり、この値に限定されない。第４の補正方法では、レベル検出部２１、比較器２２、積算回路２３、比較器２４、一時記憶部２５を使用しない。
【００５０】
第５の補正方法は、所定の範囲における色信号の最低レベルＸnim.を検出し、検出最低レベルがしきい値Ａ例えばｂ１０００より小さい場合（Ｘnim.＜Ａ）にのみ、しきい値Ａと検出最低レベルとの差（Ａ−Ｘnim.）を、所定の範囲の全ての色信号に対して加算する方法である。所定の範囲は、例えば１フレームとされる。
【００５１】
１フレーム内の最低レベルＸnim.を検出するためには、比較器２２が１フレーム内の連続して入力される二つの色信号のレベルを順番に比較し、比較結果に基づいてより小さなレベルのデータを選択し、次の色信号と選択したそれまでの最低レベルとを比較する。そして、１フレーム期間の比較が終了した時点で１フレームの最低レベルＸnim.が得られる。
【００５２】
比較器２２は、１フレームの最低レベルＸnim.が得られると、最低レベルＸnim.をしきい値Ａ（＝ｂ１０００）とを比較する。最低レベルＸnim.がしきい値Ａよりも小さい場合には、しきい値Ａと最低レベルＸnim.の差（Ａ−Ｘnim.）を求め、差の情報をレベル増加回路２６に供給する。レベル増加回路２６は、最低レベルを検出するのに必要な時間、一時記憶部２５に保持されていた１フレーム内の全色信号に対して差の値を加算する。この処理によって、１フレーム内の全ての色信号データがＡ以上のレベルを持つものに補正される。第５の補正方法では、積算回路２３、比較器２４を使用しない。
【００５３】
第６の補正方法は、所定範囲例えば１フレームの色信号の平均レベルＸavr.を検出し、検出された平均レベルＸavr.があるしきい値より小さい場合にのみ、所定範囲の全ての色信号データに対してある値を加算して、色信号のレベルを上げる方法である。積算回路２３が１フレームの色信号の値を積算する。この積算値が平均レベルＸavr.に対応する。積算値を全画素数で除して平均レベルを求めても良い。
【００５４】
積算回路２３で得られた平均レベルＸavr.が比較器２４に供給され、一定値（しきい値）と比較される。一定値は、例えばｂ１０００の近傍の値である。平均レベルＸavr.が一定値より小さいことが検出されると、比較情報がレベル増加回路２６に供給され、平均レベルを検出するのに必要な時間、一時記憶部２５に保持されていた１フレーム内の全色信号に対して一定値を加算する。比較器２４における一定値、並びにレベル増加回路２６における加算される一定値の少なくとも一方は、可変であることが好ましい。第６の補正方法では、比較器２２を使用しない。
【００５５】
以上の第１から第６の補正方法は、記録時に色信号のレベルを増加させるものである。サーチ再生時には、サーチ画像によっておおまかな内容が分かれば良いので、色信号のレベルを逆補正しなくても良く、単純に下位３ビット（絶対値の場合では、全て０）を５ビットに付加すれば良い。しかしながら、より記録画像（本編画像）にサーチ画像を近づけたい場合には、再生側で色信号のレベルを逆補正する処理がなされる。
【００５６】
再生側で色信号のレベルを下げる処理を行うために必要とされる情報がテープ上に記録される。例えば図５を参照して説明したサーチ画像のシンクブロック内の未定義のパケットデータとして必要な情報が記録される。複数の補正方法を使用している場合では、補正方法を特定する情報と、色信号のレベルの増加量を示す情報とがパケットデータとして記録される。色信号補正に関する情報が記録されていることを示すパケットヘッダが新たに定義される。
【００５７】
図１に示す再生側の構成において、データ分離部１３がパケットヘッダおよびパケットデータを分離し、データ分離部１３からサーチ画像復号部１６に対して、色信号のレベルを戻すのに必要なサーチデータ情報が供給される。このサーチデータ情報を使用して、なるべく元の値に近い８ビットの色信号が復号される。
【００５８】
以上、この発明の一実施形態について具体的に説明したが、この発明は、上述の一実施形態に限定されるものではなく、この発明の技術的思想に基づく各種の変形が可能である。例えばこの発明では、記録時の処理、再生時の処理、サーチ画像データの生成・復元に関する処理等をハードウェアおよびソフトウェアの何れを使用して行うようにしても良い。この発明は、磁気テープ以外の光テープ、光ディスク等の記録媒体を使用する場合に対しても適用することができる。
【図面の簡単な説明】
【００５９】
【図１】この発明を適用できるディジタルＶＴＲの記録系および再生系の構成を示すブロック図である。
【図２】サーチ画像データの時間軸構造の説明に用いる略線図である。
【図３】サーチ画像データの説明に用いる略線図である。
【図４】８倍速サーチ用画像データのテープ上の配置の説明に用いる略線図である。
【図５】サーチシンクブロックのデータ構成の一例を示す略線図である。
【図６】サーチシンクブロックのパケットデータの説明に用いる略線図である。
【図７】サーチ画像生成部の一例の構成を示すブロック図である。
【図８】１フレーム内の色信号のレベル分布を模式的に示す略線図である。
【図９】色信号レベル補正部の構成例を示すブロック図である。
【符号の説明】
【００６０】
７  サーチ画像データ生成部
１６  サーチ画像復号部
７２  色信号レベル補正部
２１  レベル検出部
２２，２４  比較器
２３  積算回路
２５  一時記憶部
２６  レベル増加回路
【図１】
2005260786.tif 000003
【図２】
2005260786.tif 000004
【図３】
2005260786.tif 000005
【図４】
2005260786.tif 000006
【図５】
2005260786.tif 000007
【図６】
2005260786.tif 000008
【図７】
2005260786.tif 000009
【図８】
2005260786.tif 000010
【図９】
2005260786.tif 000011